(57)【要約】  立体画像表示装置として使用可能なプラズマディスプレイ装置において、プラズマディスプレイパネルに表示される立体画像をシャッタ眼鏡を通して観賞する使用者に対してクロストークを低減しつつ、書込み放電を安定に発生する。そのために、右目用フィールドと左目用フィールドとを交互に繰り返して立体画像を表示するプラズマディスプレイ装置において、各フィールドは、初期化期間と、書込み期間と、全ての維持パルスを発生した後に走査電極に上り傾斜波形電圧を印加する維持期間とを有するサブフィールドを複数備え、各フィールドの最初に輝度重みの最も小さいサブフィールドを発生し、２番目に輝度重みの最も大きいサブフィールドを発生し、３番目以降は輝度重みが順次小さくなるように各サブフィールドに輝度重みを設定し、各フィールドの最初に発生するサブフィールドの維持期間において走査電極に印加する上り傾斜波形電圧を、２番目以降に発生するサブフィールドの維持期間において走査電極に印加する上り傾斜波形電圧よりも緩やかな勾配で発生する。
2011111323.tif 000002
【特許請求の範囲】
【請求項１】
走査電極と維持電極とデータ電極とを有する放電セルを複数配列したプラズマディスプレイパネルを用いて、右目用画像信号を表示する右目用フィールドと左目用画像信号を表示する左目用フィールドとを交互に繰り返して画像を表示するプラズマディスプレイ装置の駆動方法であって、
前記右目用フィールドおよび前記左目用フィールドのそれぞれは、初期化期間と、書込み期間と、輝度重みに応じた数の維持パルスを発生した後に前記走査電極に上り傾斜波形電圧を印加する維持期間とを有するサブフィールドを複数備え、
前記右目用フィールドおよび前記左目用フィールドのそれぞれにおいて、最初に発生するサブフィールドを輝度重みの最も小さいサブフィールドとし、２番目に発生するサブフィールドを輝度重みの最も大きいサブフィールドとし、３番目以降に発生するサブフィールドは前記輝度重みが順次小さくなるように各サブフィールドに前記輝度重みを設定し、
前記右目用フィールドおよび前記左目用フィールドの最初に発生するサブフィールドの維持期間において前記走査電極に印加する上り傾斜波形電圧を、２番目以降に発生するサブフィールドの維持期間において前記走査電極に印加する上り傾斜波形電圧よりも緩やかな勾配で発生する
ことを特徴とするプラズマディスプレイ装置の駆動方法。
【請求項２】
走査電極と維持電極とデータ電極とを有する放電セルを複数配列したプラズマディスプレイパネルと、前記プラズマディスプレイパネルを駆動する駆動回路とを備え、右目用画像信号を表示する右目用フィールドと左目用画像信号を表示する左目用フィールドとを交互に繰り返して前記プラズマディスプレイパネルに画像を表示するプラズマディスプレイ装置であって、
前記駆動回路は、
前記右目用フィールドおよび前記左目用フィールドのそれぞれに、初期化期間と、書込み期間と、輝度重みに応じた数の維持パルスを発生した後に前記走査電極に上り傾斜波形電圧を印加する維持期間とを有するサブフィールドを複数備え、
前記右目用フィールドおよび前記左目用フィールドのそれぞれにおいて、最初に発生するサブフィールドを輝度重みの最も小さいサブフィールドとし、２番目に発生するサブフィールドを輝度重みの最も大きいサブフィールドとし、３番目以降に発生するサブフィールドは前記輝度重みが順次小さくなるように各サブフィールドに前記輝度重みを設定し、
前記右目用フィールドおよび前記左目用フィールドの最初に発生するサブフィールドの維持期間において前記走査電極に印加する上り傾斜波形電圧を、２番目以降に発生するサブフィールドの維持期間において前記走査電極に印加する上り傾斜波形電圧よりも緩やかな勾配で発生して、前記プラズマディスプレイパネルを駆動する
ことを特徴とするプラズマディスプレイ装置。
【請求項３】
前記駆動回路は、前記右目用フィールドおよび前記左目用フィールドに同期したシャッタ制御信号を出力する制御信号出力部を有する
ことを特徴とする請求項２に記載のプラズマディスプレイ装置。
【請求項４】
走査電極と維持電極とデータ電極とを有する放電セルを複数配列したプラズマディスプレイパネルと、右目用フィールドおよび左目用フィールドに同期したシャッタ制御信号を出力する制御信号出力部を有して前記プラズマディスプレイパネルを駆動する駆動回路とを備え、右目用画像信号を表示する右目用フィールドと左目用画像信号を表示する左目用フィールドとを交互に繰り返して前記プラズマディスプレイパネルに画像を表示するプラズマディスプレイ装置と、
前記シャッタ制御信号を受信する制御信号受信部と右目用シャッタおよび左目用シャッタとを有し、前記シャッタ制御信号にもとづき前記右目用シャッタおよび前記左目用シャッタを開閉するシャッタ眼鏡とを備えたプラズマディスプレイシステムであって、
前記駆動回路は、
前記右目用フィールドおよび前記左目用フィールドのそれぞれに、
初期化期間と、書込み期間と、輝度重みに応じた数の維持パルスを発生した後に前記走査電極に上り傾斜波形電圧を印加する維持期間とを有するサブフィールドを複数備え、
前記右目用フィールドおよび前記左目用フィールドのそれぞれにおいて、最初に発生するサブフィールドを輝度重みの最も小さいサブフィールドとし、２番目に発生するサブフィールドを輝度重みの最も大きいサブフィールドとし、３番目以降に発生するサブフィールドは前記輝度重みが順次小さくなるように各サブフィールドに前記輝度重みを設定し、
前記右目用フィールドおよび前記左目用フィールドの最初に発生するサブフィールドの維持期間において前記走査電極に印加する上り傾斜波形電圧を、２番目以降に発生するサブフィールドの維持期間において前記走査電極に印加する上り傾斜波形電圧よりも緩やかな勾配で発生して、前記プラズマディスプレイパネルを駆動する
ことを特徴とするプラズマディスプレイシステム。
【発明の詳細な説明】
【技術分野】
【０００１】
本発明は、シャッタ眼鏡を用いて立体視することができる右目用画像と左目用画像とを、プラズマディスプレイパネルに交互に表示するプラズマディスプレイ装置の駆動方法、プラズマディスプレイ装置およびプラズマディスプレイシステムに関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板は、１対の走査電極と維持電極とからなる表示電極対が前面側のガラス基板上に互いに平行に複数対形成されている。そして、それら表示電極対を覆うように誘電体層および保護層が形成されている。【０００３】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００４】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００５】
パネルを駆動する方法としては一般にサブフィールド法が用いられている。サブフィールド法では、１フィールドを複数のサブフィールドに分割し、それぞれのサブフィールドで各放電セルを発光または非発光にすることにより階調表示を行う。各サブフィールドは、初期化期間、書込み期間および維持期間を有する。【０００６】
初期化期間では、各走査電極に初期化波形を印加し、各放電セルで初期化放電を発生する。これにより、各放電セルにおいて、続く書込み動作のために必要な壁電荷を形成するとともに、書込み放電を安定して発生するためのプライミング粒子（放電を発生させるための励起粒子）を発生する。【０００７】
初期化動作には、直前のサブフィールドの動作にかかわらず放電セルに初期化放電を発生する強制初期化動作と、直前のサブフィールドで書込み放電を行った放電セルだけに初期化放電を発生する選択初期化動作とがある。【０００８】
書込み期間では、走査電極に走査パルスを順次印加するとともに、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、これらの動作を総称して「書込み」とも記す）。【０００９】
維持期間では、サブフィールド毎に定められた輝度重みにもとづく数の維持パルスを走査電極と維持電極とからなる表示電極対に交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各放電セルを、輝度重みに応じた輝度で発光させる。このようにして、パネルの各放電セルを画像信号の階調値に応じた輝度で発光させて、パネルの画像表示領域に画像を表示する。この維持放電による蛍光体層の発光は階調表示に関係する発光であり、強制初期化動作にともなう発光は階調表示に関係しない発光である。【００１０】
また、サブフィールド法の一つとして、緩やかに変化する傾斜波形電圧を用いて強制初期化動作を行い、さらに維持放電を行った放電セルに対して選択的に初期化動作を行う駆動方法が開示されている。この駆動方法では、強制初期化動作を行う回数を１フィールドに１回にすることで、階調表示に関係しない発光を極力減らし、最も低い階調である黒を表示する際の輝度を下げてコントラストを向上することが可能となる（例えば、特許文献１参照）。【００１１】
また、このようなパネルを用いて立体視用の画像（以下、「立体画像」と記す）を表示し、立体画像表示装置としてプラズマディスプレイ装置を用いる方法が検討されている。このプラズマディスプレイ装置では、立体画像を構成する右目用画像と左目用画像とをパネルに交互に表示し、使用者は、シャッタ眼鏡と呼ばれる特殊な眼鏡を用いてその画像を観測する（例えば、特許文献２参照）。【００１２】
シャッタ眼鏡は、右目用のシャッタと左目用のシャッタとを備え、パネルに右目用画像が表示されている期間は右目用のシャッタを開く（可視光を透過する状態のこと）とともに左目用のシャッタを閉じ（可視光を遮断する状態のこと）、左目用画像が表示されている期間は左目用のシャッタを開くとともに右目用のシャッタを閉じる。これにより、使用者は、右目用画像を右目だけで観測し、左目用画像を左目だけで観測することができ、パネルに表示される立体画像を立体視することができる。【００１３】
しかしながら、パネルで用いられている蛍光体は残光時間が長く、維持放電を終了した後も数ｍｓｅｃの間は残光が持続するという特性をもつ蛍光体材料も存在する。なお、残光とは、放電セルにおいて放電が終了した後も発光が継続する現象のことであり、残光時間とは、残光が十分に低下するまでの時間のことである。【００１４】
そのため、例えば、右目用画像を表示する期間が終了した後も、しばらくの期間、右目用画像が残像としてパネルに表示されることがある。なお、残像とは、１枚の画像を表示する期間が終了した後も、残光により、その画像がパネルに表示される現象のことである。【００１５】
そして、右目用画像の残像が消える前に左目用画像をパネルに表示すると、左目用画像に右目用画像が混じる現象が生じる。同様に、左目用画像の残像が消える前に右目用画像をパネルに表示すると、右目用画像に左目用画像が混じる現象が生じる。以下、このような現象を「クロストーク」と記す。そして、クロストークが発生すると立体視が困難になるといった課題があった。【００１６】
また、強制初期化動作の回数を１フィールドに１回にした駆動方法では、１フィールドに複数回の強制初期化動作を行う駆動方法と比較して、書込み放電を安定に発生するために必要な壁電荷の量およびプライミング粒子の量がサブフィールドの配列に大きく依存する。なお、サブフィールドの配列とは、例えば、強制初期化動作をどのサブフィールドで行うのか、各サブフィールドにどのように輝度重みを割り当てるのか、といったサブフィールドの構成のことである。【００１７】
そして、プライミング粒子の不足や壁電荷の減少等が発生すると、書込み放電が不安定となり、プラズマディスプレイ装置における画像の表示品質が低下するという課題もあった。
【先行技術文献】
【特許文献】
【００１８】
【特許文献１】特開２０００−２４２２２４号公報
【特許文献２】特開２０００−１１２４２８号公報
【発明の概要】
【００１９】
本発明は、走査電極と維持電極とデータ電極とを有する放電セルを複数配列したパネルを用いて、右目用画像信号を表示する右目用フィールドと左目用画像信号を表示する左目用フィールドとを交互に繰り返して画像を表示するプラズマディスプレイ装置の駆動方法であって、右目用フィールドおよび左目用フィールドのそれぞれは、初期化期間と、書込み期間と、輝度重みに応じた数の維持パルスを発生した後に走査電極に上り傾斜波形電圧を印加する維持期間とを有するサブフィールドを複数備え、右目用フィールドおよび左目用フィールドのそれぞれにおいて、最初に発生するサブフィールドを輝度重みの最も小さいサブフィールドとし、２番目に発生するサブフィールドを輝度重みの最も大きいサブフィールドとし、３番目以降に発生するサブフィールドは輝度重みが順次小さくなるように各サブフィールドに輝度重みを設定し、右目用フィールドおよび左目用フィールドの最初に発生するサブフィールドの維持期間において走査電極に印加する上り傾斜波形電圧を、２番目以降に発生するサブフィールドの維持期間において走査電極に印加する上り傾斜波形電圧よりも緩やかな勾配で発生することを特徴とする。
【００２０】
この方法により、立体画像表示装置として使用可能なプラズマディスプレイ装置において、パネルに表示される立体画像をシャッタ眼鏡を通して観賞する使用者に対してクロストークを低減しつつ、書込み放電を安定に発生して、画像表示品質を高めることができる。
【００２１】
また、本発明は、走査電極と維持電極とデータ電極とを有する放電セルを複数配列したパネルと、パネルを駆動する駆動回路とを備え、右目用画像信号を表示する右目用フィールドと左目用画像信号を表示する左目用フィールドとを交互に繰り返してパネルに画像を表示するプラズマディスプレイ装置であって、駆動回路は、右目用フィールドおよび左目用フィールドのそれぞれに、初期化期間と、書込み期間と、輝度重みに応じた数の維持パルスを発生した後に走査電極に上り傾斜波形電圧を印加する維持期間とを有するサブフィールドを複数備え、右目用フィールドおよび左目用フィールドのそれぞれにおいて、最初に発生するサブフィールドを輝度重みの最も小さいサブフィールドとし、２番目に発生するサブフィールドを輝度重みの最も大きいサブフィールドとし、３番目以降に発生するサブフィールドは輝度重みが順次小さくなるように各サブフィールドに輝度重みを設定し、右目用フィールドおよび左目用フィールドの最初に発生するサブフィールドの維持期間において走査電極に印加する上り傾斜波形電圧を、２番目以降に発生するサブフィールドの維持期間において走査電極に印加する上り傾斜波形電圧よりも緩やかな勾配で発生して、パネルを駆動することを特徴とする。
【００２２】
これにより、立体画像表示装置として使用可能なプラズマディスプレイ装置において、パネルに表示される立体画像をシャッタ眼鏡を通して観賞する使用者に対してクロストークを低減しつつ、書込み放電を安定に発生して、画像表示品質を高めることができる。
【００２３】
また、本発明のプラズマディスプレイ装置において、駆動回路は、右目用フィールドおよび左目用フィールドに同期したシャッタ制御信号を出力する制御信号出力部を備えていてもよい。
【００２４】
また、本発明は、走査電極と維持電極とデータ電極とを有する放電セルを複数配列したパネルと、右目用フィールドおよび左目用フィールドに同期したシャッタ制御信号を出力する制御信号出力部を有してパネルを駆動する駆動回路とを備え、右目用画像信号を表示する右目用フィールドと左目用画像信号を表示する左目用フィールドとを交互に繰り返してパネルに画像を表示するプラズマディスプレイ装置と、シャッタ制御信号を受信する制御信号受信部と右目用シャッタおよび左目用シャッタとを有し、シャッタ制御信号にもとづき右目用シャッタおよび左目用シャッタを開閉するシャッタ眼鏡とを備えたプラズマディスプレイシステムであって、駆動回路は、右目用フィールドおよび左目用フィールドのそれぞれに、初期化期間と、書込み期間と、輝度重みに応じた数の維持パルスを発生した後に走査電極に上り傾斜波形電圧を印加する維持期間とを有するサブフィールドを複数備え、右目用フィールドおよび左目用フィールドのそれぞれにおいて、最初に発生するサブフィールドを輝度重みの最も小さいサブフィールドとし、２番目に発生するサブフィールドを輝度重みの最も大きいサブフィールドとし、３番目以降に発生するサブフィールドは輝度重みが順次小さくなるように各サブフィールドに輝度重みを設定し、右目用フィールドおよび左目用フィールドの最初に発生するサブフィールドの維持期間において走査電極に印加する上り傾斜波形電圧を、２番目以降に発生するサブフィールドの維持期間において走査電極に印加する上り傾斜波形電圧よりも緩やかな勾配で発生して、パネルを駆動することを特徴とする。
【００２５】
この構成により、立体画像表示装置として使用可能なプラズマディスプレイ装置において、パネルに表示される立体画像をシャッタ眼鏡を通して観賞する使用者に対してクロストークを低減しつつ、書込み放電を安定に発生して、画像表示品質を高めることができる。
【図面の簡単な説明】
【００２６】
【図１】図１は、本発明の実施の形態１におけるプラズマディスプレイ装置に用いるパネルの構造を示す分解斜視図である。
【図２】図２は、本発明の実施の形態１におけるプラズマディスプレイ装置に用いるパネルの電極配列図である。
【図３】図３は、本発明の実施の形態１におけるプラズマディスプレイ装置の回路ブロックおよびプラズマディスプレイシステムを概略的に示す図である。
【図４】図４は、本発明の実施の形態１におけるプラズマディスプレイ装置に用いるパネルの各電極に印加する駆動電圧波形を概略的に示す図である。
【図５】図５は、本発明の実施の形態１におけるプラズマディスプレイ装置のサブフィールド構成およびシャッタ眼鏡の開閉動作を概略的に示す図である。
【図６】図６は、本発明の実施の形態１におけるプラズマディスプレイ装置の走査電極駆動回路の一構成例を示す回路図である。
【図７】図７は、本発明の実施の形態２におけるプラズマディスプレイ装置に用いるパネルの各電極に印加する駆動電圧波形を概略的に示す図である。
【発明を実施するための形態】
【００２７】
以下、本発明の実施の形態におけるプラズマディスプレイ装置およびプラズマディスプレイシステムについて、図面を用いて説明する。
【００２８】
（実施の形態１）
図１は、本発明の実施の形態１におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。
【００２９】
この保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れた酸化マグネシウム（ＭｇＯ）を主成分とする材料で形成されている。
【００３０】
ガラス製の背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００３１】
これら前面基板２１と背面基板３１とを、微小な放電空間を挟んで表示電極対２４とデータ電極３２とが交差するように対向配置する。そして、その外周部をガラスフリット等の封着材によって封着する。そして、その内部の放電空間には、例えばネオンとキセノンの混合ガスを放電ガスとして封入する。
【００３２】
放電空間は隔壁３４によって複数の区画に仕切られており、表示電極対２４とデータ電極３２とが交差する部分に放電セルが形成されている。こうして、パネル１０には複数の放電セルが形成される。
【００３３】
そして、これらの放電セルで放電を発生し、放電セルの蛍光体層３５を発光（放電セルを点灯）することにより、パネル１０にカラーの画像を表示する。
【００３４】
なお、パネル１０においては、表示電極対２４が延伸する方向に配列された連続する３つの放電セル、すなわち、赤色（Ｒ）に発光する放電セルと、緑色（Ｇ）に発光する放電セルと、青色（Ｂ）に発光する放電セルの３つの放電セルで１つの画素が構成される。
【００３５】
なお、パネル１０の構造は上述したものに限られるわけではなく、例えばストライプ状の隔壁を備えたものであってもよい。
【００３６】
図２は、本発明の実施の形態１におけるプラズマディスプレイ装置に用いるパネル１０の電極配列図である。パネル１０には、水平方向（行方向）に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列され、垂直方向（列方向）に延長されたｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００３７】
図３は、本発明の実施の形態１におけるプラズマディスプレイ装置４０の回路ブロックおよびプラズマディスプレイシステムを概略的に示す図である。本実施の形態に示すプラズマディスプレイシステムは、プラズマディスプレイ装置４０とシャッタ眼鏡５０とを構成要素に含む。
【００３８】
プラズマディスプレイ装置４０は、走査電極２２と維持電極２３とデータ電極３２とを有する放電セルを複数配列したパネル１０と、パネル１０を駆動する駆動回路とを備えている。駆動回路は、画像信号処理回路４１、データ電極駆動回路４２、走査電極駆動回路４３、維持電極駆動回路４４、タイミング発生回路４５、および各回路ブロックに必要な電源を供給する電源回路（図示せず）を備えている。またプラズマディスプレイ装置４０は、制御信号出力部４６を備えている。制御信号出力部４６は、使用者が使用するシャッタ眼鏡５０のシャッタの開閉を制御するシャッタ制御信号をシャッタ眼鏡５０に供給する。
【００３９】
画像信号処理回路４１は、入力された画像信号にもとづき、各放電セルに階調値を割り当てる。そして、その階調値を、サブフィールド毎の発光・非発光を示す画像データ（発光・非発光をデジタル信号の「１」、「０」に対応させたデータのこと）に変換する。すなわち、画像信号処理回路４１は、１フィールド毎の画像信号をサブフィールド毎の発光・非発光を示す画像データに変換する。
【００４０】
例えば、入力された画像信号がＲ信号、Ｇ信号、Ｂ信号を含むときには、そのＲ信号、Ｇ信号、Ｂ信号にもとづき、各放電セルにＲ、Ｇ、Ｂの各階調値を割り当てる。あるいは、入力された画像信号が輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづきＲ信号、Ｇ信号、Ｂ信号を算出し、その後、各放電セルにＲ、Ｇ、Ｂの各階調値（１フィールドで表現される階調値）を割り当てる。そして、各放電セルに割り当てたＲ、Ｇ、Ｂの階調値を、サブフィールド毎の発光・非発光を示す画像データに変換する。
【００４１】
また、入力される画像信号が、右目用画像信号と左目用画像信号とを有する立体視用の画像信号であり、その画像信号をパネル１０に表示する際には、右目用画像信号と左目用画像信号とがフィールド毎に交互に画像信号処理回路４１に入力される。したがって、画像信号処理回路４１は、右目用画像信号を右目用画像データに変換し、左目用画像信号を左目用画像データに変換する。
【００４２】
タイミング発生回路４５は、水平同期信号および垂直同期信号にもとづき、各回路ブロックの動作を制御する各種のタイミング信号を発生する。そして、発生したタイミング信号をそれぞれの回路ブロック（データ電極駆動回路４２、走査電極駆動回路４３、維持電極駆動回路４４、および画像信号処理回路４１等）へ供給する。
【００４３】
また、タイミング発生回路４５は、シャッタ眼鏡５０のシャッタの開閉を制御するシャッタ制御信号を制御信号出力部４６に出力する。なお、タイミング発生回路４５は、シャッタ眼鏡５０のシャッタを開く（可視光を透過する状態になる）ときにはシャッタ制御信号をオン（「１」）にし、シャッタ眼鏡５０のシャッタを閉じる（可視光を遮断する状態になる）ときにはシャッタ制御信号をオフ（「０」）にする。また、シャッタ制御信号は、右目用画像信号を表示する右目用フィールドがパネル１０に表示されるときにオンとなり、左目用画像信号を表示する左目用フィールドがパネル１０に表示されるときにオフとなる制御信号（右目シャッタ制御信号）と、左目用画像信号を表示する左目用フィールドがパネル１０に表示されるときにオンとなり、右目用画像信号を表示する右目用フィールドがパネル１０に表示されるときにオフとなる制御信号（左目シャッタ制御信号）とからなる。
【００４４】
走査電極駆動回路４３は、傾斜波形発生回路、維持パルス発生回路、走査パルス発生回路（図３には示さず）を備え、タイミング発生回路４５から供給されるタイミング信号にもとづいて駆動電圧波形を作成し、走査電極ＳＣ１〜走査電極ＳＣｎのそれぞれに印加する。傾斜波形発生回路は、初期化期間に、タイミング信号にもとづいて走査電極ＳＣ１〜走査電極ＳＣｎに印加する初期化波形を発生する。維持パルス発生回路は、維持期間に、タイミング信号にもとづいて走査電極ＳＣ１〜走査電極ＳＣｎに印加する維持パルスを発生する。走査パルス発生回路は、複数の走査電極駆動ＩＣ（走査ＩＣ）を備え、書込み期間に、タイミング信号にもとづいて走査電極ＳＣ１〜走査電極ＳＣｎに印加する走査パルスを発生する。
【００４５】
維持電極駆動回路４４は、維持パルス発生回路および電圧Ｖｅを発生する回路を備え（図３には示さず）、タイミング発生回路４５から供給されるタイミング信号にもとづいて駆動電圧波形を作成し、維持電極ＳＵ１〜維持電極ＳＵｎのそれぞれに印加する。維持期間では、タイミング信号にもとづいて維持パルスを発生し、維持電極ＳＵ１〜維持電極ＳＵｎに印加する。
【００４６】
データ電極駆動回路４２は、右目用画像データおよび左目用画像データを含む画像データを構成するサブフィールド毎のデータを、各データ電極Ｄ１〜データ電極Ｄｍに対応する信号に変換する。そして、その信号、およびタイミング発生回路４５から供給されるタイミング信号にもとづき、各データ電極Ｄ１〜データ電極Ｄｍを駆動する。書込み期間では書込みパルスを発生し、各データ電極Ｄ１〜データ電極Ｄｍに印加する。
【００４７】
制御信号出力部４６は、ＬＥＤ（Ｌｉｇｈｔ  Ｅｍｉｔｔｉｎｇ  Ｄｉｏｄｅ）等の発光素子を有しており、右目用フィールドおよび左目用フィールドに同期したシャッタ制御信号を、例えば赤外線の信号に変換してシャッタ眼鏡５０に供給する。
【００４８】
シャッタ眼鏡５０は、制御信号出力部４６から出力されるシャッタ制御信号を受信する制御信号受信部５１と、右目用液晶シャッタ５２Ｒおよび左目用液晶シャッタ５２Ｌとを有する。右目用液晶シャッタ５２Ｒおよび左目用液晶シャッタ５２Ｌは、それぞれ独立にシャッタの開閉が可能である。そして、シャッタ眼鏡５０は、制御信号出力部４６から供給されるシャッタ制御信号にもとづいて右目用液晶シャッタ５２Ｒおよび左目用液晶シャッタ５２Ｌを開閉する。右目用液晶シャッタ５２Ｒは、右目用のシャッタ制御信号がオンのときには開き（可視光を透過し）、オフのときには閉じる（可視光を遮断する）。左目用液晶シャッタ５２Ｌは、左目用のシャッタ制御信号がオンのときには開き（可視光を透過し）、オフのときには閉じる（可視光を遮断する）。右目用液晶シャッタ５２Ｒおよび左目用液晶シャッタ５２Ｌは、液晶を用いて構成されるが、本発明は、シャッタを構成する材料が何ら液晶に限定されるものではなく、可視光の遮断と透過とを高速に切り換えることができるものであればどのようなものであってもかまわない。
【００４９】
次に、パネル１０を駆動するための駆動電圧波形とその動作について説明する。本実施の形態におけるプラズマディスプレイ装置４０は、サブフィールド法によって階調表示を行う。サブフィールド法では、１フィールドを時間軸上で複数のサブフィールドに分割し、各サブフィールドに輝度重みをそれぞれ設定する。それぞれのサブフィールドは初期化期間、書込み期間および維持期間を有する。そして、サブフィールド毎に各放電セルの発光・非発光を制御することによってパネル１０に画像を表示する。
【００５０】
輝度重みとは、各サブフィールドで表示する輝度の大きさの比を表すものであり、各サブフィールドでは輝度重みに応じた数の維持パルスを維持期間に発生する。そのため、例えば、輝度重み「８」のサブフィールドは、輝度重み「１」のサブフィールドの約８倍の輝度で発光し、輝度重み「２」のサブフィールドの約４倍の輝度で発光する。したがって、画像信号に応じた組み合わせで各サブフィールドを選択的に発光させることによって様々な階調を表示し、画像を表示することができる。
【００５１】
なお、本実施の形態において、プラズマディスプレイ装置４０に入力される画像信号は、右目用画像信号と左目用画像信号とをフィールド毎に交互に繰り返す立体視用の画像信号である。そして、右目用画像信号を表示する右目用フィールドと、左目用画像信号を表示する左目用フィールドとを交互に繰り返してパネル１０に表示することで、右目用画像および左目用画像からなる立体視用の画像（立体画像）がパネル１０に表示される。
【００５２】
そのため、単位時間（例えば、１秒間）に表示される立体画像の枚数は、フィールド周波数（１秒間に発生するフィールドの数）の半分となる。例えば、フィールド周波数が６０Ｈｚであれば、１秒間に表示される右目用画像および左目用画像はそれぞれ３０枚ずつとなるため、１秒間に３０枚の立体画像が表示されることになる。そこで、本実施の形態では、フィールド周波数を通常の２倍（例えば、１２０Ｈｚ）に設定し、フィールド周波数が低い画像を表示する際に発生しやすい画像のちらつき（フリッカ）を低減している。
【００５３】
そして、使用者は、パネル１０に表示される立体画像を、右目用フィールドおよび左目用フィールドに同期して右目用液晶シャッタ５２Ｒおよび左目用液晶シャッタ５２Ｌをそれぞれ独立に開閉するシャッタ眼鏡５０を通して観賞する。これにより、使用者は、右目用画像を右目だけで観測し、左目用画像を左目だけで観測することができるので、パネル１０に表示される立体画像を立体視することができる。
【００５４】
なお、右目用フィールドと左目用フィールドとは、表示する画像信号が異なるだけであり、１つのフィールドを構成するサブフィールドの数、各サブフィールドの輝度重み、サブフィールドの配列等のフィールドの構成は同じである。そこで、以下、「右目用」および「左目用」の区別が必要ない場合には、右目用フィールドおよび左目用フィールドを単にフィールドと略記する。また、右目用画像信号および左目用画像信号を単に画像信号と略記する。また、フィールドの構成のことを、サブフィールド構成とも記す。
【００５５】
まず、１つのフィールドの構成と各電極に印加する駆動電圧波形について説明する。右目用フィールドおよび左目用フィールドの各フィールドは複数のサブフィールドを有し、それぞれのサブフィールドは、走査電極２２に下り傾斜波形電圧を印加する初期化期間と、走査電極２２に走査パルスを印加するとともにデータ電極３２に選択的に書込みパルスを印加する書込み期間と、走査電極２２および維持電極３２に輝度重みに応じた数の維持パルスを印加し、その後、走査電極２２に上り傾斜波形電圧を印加する維持期間とを有する。
【００５６】
初期化期間では、放電セルに初期化放電を発生し、続く書込み期間における書込み放電に必要な壁電荷を各電極上に形成する初期化動作を行う。初期化動作には、それまでの放電の有無にかかわらず放電セルに強制的に初期化放電を発生する強制初期化動作と、直前のサブフィールドの書込み期間において書込み放電を発生した放電セルだけに初期化放電を発生する選択初期化動作とがある。
【００５７】
書込み期間では、走査電極２２に走査パルスを印加するとともにデータ電極３２に選択的に書込みパルスを印加し、発光するべき放電セルに選択的に書込み放電を発生して、続く維持期間で維持放電を発生するための壁電荷をその放電セル内に形成する。
【００５８】
維持期間では、それぞれのサブフィールドの輝度重みに所定の比例定数を乗じた数の維持パルスを走査電極２２および維持電極２３に交互に印加する。この比例定数が輝度倍率である。例えば、輝度倍率が２倍のとき、輝度重み「２」のサブフィールドの維持期間では、走査電極２２と維持電極２３とにそれぞれ４回ずつ維持パルスを印加する。そのため、その維持期間で発生する維持パルスの数は８となる。そして、直前の書込み期間に書込み放電を発生した放電セルで維持放電を発生し、その放電セルを発光する。維持期間の最後、すなわち、全ての維持パルスを発生した後には、緩やかに上昇する傾斜波形電圧を走査電極２２に印加して、書込み放電を発生した放電セルの走査電極２２上および維持電極２３上の壁電圧を弱める。
【００５９】
本実施の形態では、１フィールドを５つのサブフィールド（サブフィールドＳＦ１、サブフィールドＳＦ２、・・・、サブフィールドＳＦ５）で構成する例を説明する。そして、フィールドの最初に発生するサブフィールドＳＦ１の初期化期間では強制初期化動作を行い、サブフィールドＳＦ２〜サブフィールドＳＦ５の初期化期間では選択初期化動作を行うものとする。これにより、画像の表示に関係のない発光はサブフィールドＳＦ１における強制初期化動作の放電にともなう発光のみとなる。したがって、維持放電を発生しない黒表示領域の輝度である黒輝度は強制初期化動作における微弱発光だけとなり、パネル１０にコントラストの高い画像を表示することが可能となる。
【００６０】
また、各サブフィールドはそれぞれ（１、１６、８、４、２）の輝度重みを有する。このように、本実施の形態では、フィールドの最初に発生するサブフィールドＳＦ１を輝度重みの最も小さいサブフィールドとし、２番目に発生するサブフィールドＳＦ２を輝度重みの最も大きいサブフィールドとし、３番目以降に発生するサブフィールドは輝度重みが順次小さくなるように各サブフィールドに輝度重みを設定し、フィールドの最後に発生するサブフィールドＳＦ５を２番目に輝度重みが小さいサブフィールドとする。このように輝度重みを設定した理由については後述する。
【００６１】
しかし、本実施の形態は、１フィールドを構成するサブフィールドの数や各サブフィールドの輝度重みが上記の値に限定されるものではない。また、画像信号等にもとづいてサブフィールド構成を切り換える構成であってもよい。
【００６２】
図４は、本発明の実施の形態１におけるプラズマディスプレイ装置に用いるパネル１０の各電極に印加する駆動電圧波形を示す図である。図４には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。
【００６３】
また、図４には、サブフィールドＳＦ１からサブフィールドＳＦ３までの駆動電圧波形を示している。サブフィールドＳＦ１は強制初期化動作を行うサブフィールドであり、サブフィールドＳＦ２およびサブフィールドＳＦ３は選択初期化動作を行うサブフィールドである。したがって、サブフィールドＳＦ１と、サブフィールドＳＦ２およびサブフィールドＳＦ３では、初期化期間に走査電極２２に印加する駆動電圧の波形形状が異なる。
【００６４】
なお、他のサブフィールドにおける駆動電圧波形は、維持期間における維持パルスの発生数が異なる以外はサブフィールドＳＦ２、サブフィールドＳＦ３の駆動電圧波形とほぼ同様である。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００６５】
まず、サブフィールドＳＦ１について説明する。
【００６６】
サブフィールドＳＦ１の初期化期間前半部では、データ電極Ｄ１〜データ電極Ｄｍ、維持電極ＳＵ１〜維持電極ＳＵｎには、それぞれ電圧０（Ｖ）を印加する。走査電極ＳＣ１〜走査電極ＳＣｎには、電圧Ｖｉ１を印加し、電圧Ｖｉ１から電圧Ｖｉ２に向かって緩やかに上昇する傾斜波形電圧を印加する。電圧Ｖｉ１は、維持電極ＳＵ１〜維持電極ＳＵｎに対して放電開始電圧未満の電圧に設定し、電圧Ｖｉ２は、維持電極ＳＵ１〜維持電極ＳＵｎに対して放電開始電圧を超える電圧に設定する。
【００６７】
この傾斜波形電圧が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上には正の壁電圧が蓄積される。この電極上の壁電圧とは、電極を覆う誘電体層上、保護層上、蛍光体層上等に蓄積された壁電荷により生じる電圧を表す。
【００６８】
サブフィールドＳＦ１の初期化期間後半部では、維持電極ＳＵ１〜維持電極ＳＵｎには正の電圧Ｖｅを印加し、データ電極Ｄ１〜データ電極Ｄｍには電圧０（Ｖ）を印加する。走査電極ＳＣ１〜走査電極ＳＣｎには、電圧Ｖｉ３から負の電圧Ｖｉ４に向かって緩やかに下降する傾斜波形電圧を印加する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。
【００６９】
この傾斜波形電圧を走査電極ＳＣ１〜走査電極ＳＣｎに印加する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は書込み動作に適した値に調整される。
【００７０】
以上により、サブフィールドＳＦ１の初期化期間における初期化動作、すなわち、全ての放電セルで強制的に初期化放電を発生する強制初期化動作が終了する。
【００７１】
続くサブフィールドＳＦ１の書込み期間では、維持電極ＳＵ１〜維持電極ＳＵｎに電圧Ｖｅを印加し、走査電極ＳＣ１〜走査電極ＳＣｎのそれぞれには電圧Ｖｃを印加する。
【００７２】
次に、最初に書込み動作を行う１行目の走査電極ＳＣ１に負の電圧Ｖａの負極性の走査パルスを印加する。そして、データ電極Ｄ１〜データ電極Ｄｍのうちの１行目において発光するべき放電セルのデータ電極Ｄｋに正の電圧Ｖｄの書込みパルスを印加する。
【００７３】
電圧Ｖｄの書込みパルスを印加した放電セルのデータ電極Ｄｋと走査電極ＳＣ１との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなる。これによりデータ電極Ｄｋと走査電極ＳＣ１との電圧差が放電開始電圧を超え、データ電極Ｄｋと走査電極ＳＣ１との間に放電が発生する。
【００７４】
また、維持電極ＳＵ１〜維持電極ＳＵｎに電圧Ｖｅを印加しているため、維持電極ＳＵ１と走査電極ＳＣ１との電圧差は、外部印加電圧の差である（電圧Ｖｅ−電圧Ｖａ）に維持電極ＳＵ１上の壁電圧と走査電極ＳＣ１上の壁電圧との差が加算されたものとなる。このとき、電圧Ｖｅを、放電開始電圧をやや下回る程度の電圧値に設定することで、維持電極ＳＵ１と走査電極ＳＣ１との間を、放電には至らないが放電が発生しやすい状態とすることができる。
【００７５】
これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生することができる。こうして、発光するべき放電セルに書込み放電が発生し、走査電極ＳＣ１上に正の壁電圧が蓄積され、維持電極ＳＵ１上に負の壁電圧が蓄積され、データ電極Ｄｋ上にも負の壁電圧が蓄積される。
【００７６】
このようにして、１行目において発光するべき放電セルで書込み放電を発生して各電極上に壁電圧を蓄積する書込み動作を行う。一方、書込みパルスを印加しなかったデータ電極３２と走査電極ＳＣ１との交差部の電圧は放電開始電圧を超えないので、書込み放電は発生しない。
【００７７】
以上の書込み動作を、走査電極ＳＣ２、走査電極ＳＣ３、・・・、走査電極ＳＣｎという順番で、ｎ行目の放電セルに至るまで順次行い、サブフィールドＳＦ１の書込み期間が終了する。このようにして、書込み期間では、発光するべき放電セルに選択的に書込み放電を発生し、その放電セルに壁電荷を形成する。
【００７８】
続くサブフィールドＳＦ１の維持期間では、まず維持電極ＳＵ１〜維持電極ＳＵｎに電圧０（Ｖ）を印加するとともに走査電極ＳＣ１〜走査電極ＳＣｎに正の電圧Ｖｓの維持パルスを印加する。書込み放電を発生した放電セルでは、走査電極ＳＣｉと維持電極ＳＵｉとの電圧差が、維持パルスの電圧Ｖｓに走査電極ＳＣｉ上の壁電圧と維持電極ＳＵｉ上の壁電圧との差が加算されたものとなる。
【００７９】
これにより、走査電極ＳＣｉと維持電極ＳＵｉとの電圧差が放電開始電圧を超え、走査電極ＳＣｉと維持電極ＳＵｉとの間に維持放電が発生する。そして、この放電により発生した紫外線により蛍光体層３５が発光する。また、この放電により、走査電極ＳＣｉ上に負の壁電圧が蓄積され、維持電極ＳＵｉ上に正の壁電圧が蓄積される。さらに、データ電極Ｄｋ上にも正の壁電圧が蓄積される。書込み期間において書込み放電が発生しなかった放電セルでは維持放電は発生せず、初期化期間の終了時における壁電圧が保たれる。
【００８０】
続いて、走査電極ＳＣ１〜走査電極ＳＣｎには電圧０（Ｖ）を印加し、維持電極ＳＵ１〜維持電極ＳＵｎには電圧Ｖｓの維持パルスを印加する。維持放電を発生した放電セルでは、維持電極ＳＵｉと走査電極ＳＣｉとの電圧差が放電開始電圧を超える。これにより、再び維持電極ＳＵｉと走査電極ＳＣｉとの間に維持放電が発生し、維持電極ＳＵｉ上に負の壁電圧が蓄積され、走査電極ＳＣｉ上に正の壁電圧が蓄積される。
【００８１】
以降同様に、走査電極ＳＣ１〜走査電極ＳＣｎと維持電極ＳＵ１〜維持電極ＳＵｎとに、輝度重みに所定の輝度倍率を乗じた数の維持パルスを交互に印加する。こうして表示電極対２４の電極間に電位差を与えることにより、書込み期間において書込み放電を発生した放電セルで維持放電が継続して発生する。
【００８２】
そして、維持期間における維持パルスの発生後（維持期間の最後）に、維持電極ＳＵ１〜維持電極ＳＵｎおよびデータ電極Ｄ１〜データ電極Ｄｍには電圧０（Ｖ）を印加したまま、ベース電位である電圧０（Ｖ）から電圧Ｖｒに向かって第１の勾配Ｇ１で緩やかに上昇する傾斜波形電圧を走査電極ＳＣ１〜走査電極ＳＣｎに印加する。
【００８３】
走査電極ＳＣ１〜走査電極ＳＣｎへ印加する傾斜波形電圧が放電開始電圧を超えて上昇する間に、維持放電を発生した放電セルに微弱な放電が持続して発生する。この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正の壁電圧を残したまま、走査電極ＳＣｉおよび維持電極ＳＵｉ上の壁電圧が弱められる。
【００８４】
走査電極ＳＣ１〜走査電極ＳＣｎに印加する電圧が電圧Ｖｒに到達したら、走査電極ＳＣ１〜走査電極ＳＣｎへの印加電圧を電圧０（Ｖ）まで下降する。こうして、サブフィールドＳＦ１の維持期間における維持動作が終了する。
【００８５】
以上により、サブフィールドＳＦ１の駆動動作が終了する。
【００８６】
サブフィールドＳＦ２では、初期化期間において、サブフィールドＳＦ１における初期化期間の前半部を省略した駆動電圧波形を各電極に印加する選択初期化動作を行う。サブフィールドＳＦ２の初期化期間では、維持電極ＳＵ１〜維持電極ＳＵｎには電圧Ｖｅを、データ電極Ｄ１〜データ電極Ｄｍには電圧０（Ｖ）を、それぞれ印加する。走査電極ＳＣ１〜走査電極ＳＣｎには放電開始電圧未満となる電圧（例えば、電圧０（Ｖ））から放電開始電圧を超える負の電圧Ｖｉ４に向かって緩やかに下降する傾斜波形電圧を印加する。
【００８７】
これにより、直前のサブフィールド（図４では、サブフィールドＳＦ１）の維持期間に維持放電を発生した放電セルでは微弱な初期化放電が発生する。そして、走査電極ＳＣｉ上および維持電極ＳＵｉ上の壁電圧が弱められる。また、データ電極Ｄｋ上には、直前の維持期間に発生した維持放電によって十分な正の壁電圧が蓄積されているので、この壁電圧の過剰な部分が放電され、データ電極Ｄｋ上の壁電圧は書込み動作に適した壁電圧に調整される。
【００８８】
一方、直前のサブフィールド（図４では、サブフィールドＳＦ１）の維持期間に維持放電を発生しなかった放電セルでは、初期化放電は発生せず、直前のサブフィールドの初期化期間終了時における壁電荷がそのまま保たれる。
【００８９】
このように、サブフィールドＳＦ２における初期化動作は、直前のサブフィールドの書込み期間で書込み動作を行った放電セル、すなわち、直前のサブフィールドの維持期間に維持放電を発生した放電セルで選択的に初期化放電を発生する選択初期化動作となる。
【００９０】
サブフィールドＳＦ２の書込み期間では、各電極に対してサブフィールドＳＦ１の書込み期間と同様の駆動電圧波形を印加し、発光するべき放電セルの各電極上に壁電圧を蓄積する書込み動作を行う。
【００９１】
サブフィールドＳＦ２の維持期間では、サブフィールドＳＦ１の維持期間と同様に、輝度重みに応じた数の維持パルスを走査電極ＳＣ１〜走査電極ＳＣｎと維持電極ＳＵ１〜維持電極ＳＵｎとに交互に印加し、書込み期間において書込み放電を発生した放電セルに維持放電を発生する。
【００９２】
そして、サブフィールドＳＦ２の維持期間における維持パルスの発生後（維持期間の最後）には、維持電極ＳＵ１〜維持電極ＳＵｎおよびデータ電極Ｄ１〜データ電極Ｄｍには電圧０（Ｖ）を印加したまま、ベース電位である電圧０（Ｖ）から電圧Ｖｒに向かって、第１の勾配Ｇ１よりも急峻な第２の勾配Ｇ２で上昇する傾斜波形電圧を走査電極ＳＣ１〜走査電極ＳＣｎに印加する。そして、サブフィールドＳＦ１の維持期間と同様に、データ電極Ｄｋ上の正の壁電圧を残したまま、走査電極ＳＣｉおよび維持電極ＳＵｉ上の壁電圧を弱める。
【００９３】
こうして、サブフィールドＳＦ２の維持期間における維持動作が終了する。本実施の形態においては、第２の勾配Ｇ２を第１の勾配Ｇ１よりも急峻にしている。そのため、サブフィールドＳＦ２の維持期間では、電圧０（Ｖ）から電圧Ｖｒに到達するまでの時間を、サブフィールドＳＦ１の維持期間における同時間と比較して、（（Ｖｒ／Ｇ１）−（Ｖｒ／Ｇ２））だけ短縮することができる。
【００９４】
サブフィールドＳＦ３〜サブフィールドＳＦ５の初期化期間および書込み期間では、各電極に対してサブフィールドＳＦ２の初期化期間および書込み期間と同様の駆動電圧波形を印加する。
【００９５】
また、サブフィールドＳＦ３〜サブフィールドＳＦ５の維持期間では、維持パルスの発生数を除き、各電極に対してサブフィールドＳＦ２の維持期間と同様の駆動電圧波形を印加する。すなわち、輝度重みに応じた数の維持パルスを走査電極ＳＣ１〜走査電極ＳＣｎと維持電極ＳＵ１〜維持電極ＳＵｎとに交互に印加し、書込み期間において書込み放電を発生した放電セルに維持放電を発生する。そして、維持パルスの発生後（維持期間の最後）には、電圧０（Ｖ）から電圧Ｖｒに向かって、第１の勾配Ｇ１よりも急峻な第２の勾配Ｇ２で上昇する傾斜波形電圧を走査電極ＳＣ１〜走査電極ＳＣｎに印加する。したがって、サブフィールドＳＦ３〜サブフィールドＳＦ５の維持期間においても、電圧０（Ｖ）から電圧Ｖｒに到達するまでの時間を、サブフィールドＳＦ１の維持期間における同時間と比較して、（（Ｖｒ／Ｇ１）−（Ｖｒ／Ｇ２））だけ短縮することができる。
【００９６】
以上が、本実施の形態においてパネル１０の各電極に印加する駆動電圧波形の概要である。
【００９７】
なお、本実施の形態では、電圧Ｖｉ１は１５０（Ｖ）、電圧Ｖｉ２は３６０（Ｖ）、電圧Ｖｉ３は２１０（Ｖ）、電圧Ｖｉ４は−１８０（Ｖ）、電圧Ｖｃは−５０（Ｖ）、電圧Ｖａは−２００（Ｖ）、電圧Ｖｓは２１０（Ｖ）、電圧Ｖｒは２１０（Ｖ）、電圧Ｖｅは１３０（Ｖ）、電圧Ｖｄは６０（Ｖ）に設定している。
【００９８】
また、本実施の形態では、第１の勾配Ｇ１は１．５（Ｖ／μｓｅｃ）に、第２の勾配Ｇ２は１０．０（Ｖ／μｓｅｃ）に設定している。
【００９９】
また、サブフィールドＳＦ１の初期化期間において走査電極ＳＣ１〜走査電極ＳＣｎに印加する上り傾斜波形電圧はその勾配を１．５（Ｖ／μｓｅｃ）に設定し、下り傾斜波形電圧はその勾配を−２．５（Ｖ／μｓｅｃ）に設定し、サブフィールドＳＦ２〜サブフィールドＳＦ５の初期化期間において走査電極ＳＣ１〜走査電極ＳＣｎに印加する下り傾斜波形電圧はその勾配を−２．５（Ｖ／μｓｅｃ）に設定している。
【０１００】
なお、上述した電圧値や勾配の具体的な数値は単なる一例に過ぎず、本発明は、各電圧値や勾配が上述した数値に限定されるものではない。各電圧値や勾配等は、パネルの放電特性やプラズマディスプレイ装置の仕様等にもとづき最適に設定することが望ましい。
【０１０１】
次に、本実施の形態におけるプラズマディスプレイ装置を駆動する１フィールド期間のサブフィールド構成について説明する。
【０１０２】
図５は、本発明の実施の形態１におけるプラズマディスプレイ装置４０のサブフィールド構成およびシャッタ眼鏡５０の開閉動作を概略的に示す図である。
【０１０３】
図５には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形と、右目用液晶シャッタ５２Ｒおよび左目用液晶シャッタ５２Ｌの開閉動作とを示す。また、図５には３つのフィールドを示す。
【０１０４】
本実施の形態においては、パネル１０に立体画像を表示するために、右目用フィールドと左目用フィールドとを交互に発生する。例えば、図５に示す３つのフィールドのうち、最初のフィールドと、３番目のフィールドは右目用フィールドであり、右目用画像信号をパネル１０に表示する。また、２番目のフィールドは左目用フィールドであり、左目用画像信号をパネル１０に表示する。
【０１０５】
また、シャッタ眼鏡５０を通してパネル１０に表示される立体画像を観測する使用者には、２フィールドで表示される画像（右目用画像および左目用画像）が１枚の立体画像として認識される。そのため、使用者には、１秒間にパネル１０に表示される画像の数が、１秒間に表示されるフィールドの数の半分の数として観測される。例えば、パネルに表示される立体画像のフィールド周波数（１秒間に発生するフィールドの数）が６０Ｈｚのとき、使用者には、１秒間に３０枚の立体画像が観測されることになる。したがって、１秒間に６０枚の立体画像を表示するためには、フィールド周波数を６０Ｈｚの２倍の１２０Ｈｚに設定しなければならない。そこで、本実施の形態では、使用者に立体画像の動画像が滑らかに観測されるように、フィールド周波数（１秒間に発生するフィールドの数）を通常の２倍（例えば、１２０Ｈｚ）に設定している。
【０１０６】
右目用フィールド、左目用フィールドの各フィールドは、５つのサブフィールド（サブフィールドＳＦ１、サブフィールドＳＦ２、サブフィールドＳＦ３、サブフィールドＳＦ４、サブフィールドＳＦ５）を有する。またサブフィールドＳＦ１〜サブフィールドＳＦ５の各サブフィールドには、それぞれ（１、１６、８、４、２）の輝度重みが設定されている。
【０１０７】
このように、フィールドの最初に輝度重みの最も小さいサブフィールドを発生し、２番目に輝度重みの最も大きいサブフィールドを発生し、それ以降は輝度重みが順次小さくなるように各サブフィールドを発生している。また、フィールドの最初に発生するサブフィールドの初期化期間では強制初期化動作を行い、それ以外のサブフィールドの初期化期間では選択初期化動作を行う。
【０１０８】
シャッタ眼鏡５０の右目用液晶シャッタ５２Ｒおよび左目用液晶シャッタ５２Ｌは、制御信号出力部４６から出力されシャッタ眼鏡５０で受信されるシャッタ制御信号のオン・オフにもとづき、以下のようにシャッタの開閉動作が制御される。
【０１０９】
シャッタ眼鏡５０は、右目用フィールドのサブフィールドＳＦ１の書込み期間の開始に同期して右目用液晶シャッタ５２Ｒを開き、同フィールドのサブフィールドＳＦ５の維持期間における維持パルスの発生終了以降、左目用フィールドの開始直前に右目用液晶シャッタ５２Ｒを閉じる。また、シャッタ眼鏡５０は、左目用フィールドのサブフィールドＳＦ１の書込み期間の開始に同期して左目用液晶シャッタ５２Ｌを開き、同フィールドのサブフィールドＳＦ５の維持期間における維持パルスの発生終了以降、右目用フィールドの開始直前に左目用液晶シャッタ５２Ｌを閉じる。
【０１１０】
したがって、シャッタ眼鏡５０は、右目用液晶シャッタ５２Ｒが開いている期間は左目用液晶シャッタ５２Ｌが閉じ、左目用液晶シャッタ５２Ｌが開いている期間は右目用液晶シャッタ５２Ｒが閉じる。さらに、右目用フィールドおよび左目用フィールドのいずれのフィールドにおいても、強制初期化動作が行われている期間は、右目用液晶シャッタ５２Ｒおよび左目用液晶シャッタ５２Ｌはともに閉じた状態となる。
【０１１１】
そして、右目用液晶シャッタ５２Ｒおよび左目用液晶シャッタ５２Ｌは、各フィールドで同様の動作を繰り返す。
【０１１２】
これにより、本実施の形態におけるプラズマディスプレイシステムでは、強制初期化動作によって発生する発光が、右目用液晶シャッタ５２Ｒおよび左目用液晶シャッタ５２Ｌによって遮られ、使用者の目に入らない状態となる。したがって、シャッタ眼鏡５０を通して立体画像を観測する使用者には、強制初期化動作による発光が見えなくなり、その発光分の輝度が黒輝度において低減することとなる。こうして、使用者は、黒輝度を低減したコントラストの高い画像を観測することが可能となる。
【０１１３】
なお、タイミング発生回路４５は、上述したシャッタの開閉動作を右目用液晶シャッタ５２Ｒおよび左目用液晶シャッタ５２Ｌが行うためのシャッタ制御信号を制御信号出力部４６が出力するようにタイミング信号を発生して、制御信号出力部４６に供給する。
【０１１４】
なお、本実施の形態において、上述した「シャッタを閉じた」状態とは、右目用液晶シャッタ５２Ｒおよび左目用液晶シャッタ５２Ｌが完全に閉じきった状態であることに限定されるものではない。また、上述した「シャッタを開いた」状態とは、右目用液晶シャッタ５２Ｒおよび左目用液晶シャッタ５２Ｌが完全に開ききった状態であることに限定されるものではない。
【０１１５】
本実施の形態では、上述したように各サブフィールドを構成するとともにシャッタ眼鏡５０を制御することにより、右目用画像と左目用画像とのクロストークを抑制するとともに、書込み放電を安定に発生し、品質の高い立体画像をパネル１０に表示することができる。以下にその理由について説明する。
【０１１６】
まず、クロストークについて考える。パネル１０で用いられている蛍光体層３５は、その蛍光体を構成する材料に依存した残光特性を有する。この残光とは、放電終了後も蛍光体が発光を持続する現象のことである。そして、残光の強さは、蛍光体の発光時の輝度に比例し、蛍光体が発光したときの輝度が高いほど、残光も強くなる。また、残光は、蛍光体の特性に応じた時定数で減衰し、時間の経過とともに徐々に輝度が低下するが、維持放電を終了した後も数ｍｓｅｃの間は残光が持続するという特性を有する蛍光体材料も存在する。また、蛍光体が発光したときの輝度が高いほど減衰に要する時間も長くなる。
【０１１７】
輝度重みが大きいサブフィールドで生じる発光は輝度重みが小さいサブフィールドで生じる発光よりも輝度が高い。したがって、輝度重みが大きいサブフィールドで生じた発光による残光は、輝度重みが小さいサブフィールドで生じた発光による残光よりも、輝度が高くなり、減衰に要する時間も長くなる。
【０１１８】
そのため、１フィールドの最終サブフィールドを輝度重みの大きいサブフィールドにすると、最終サブフィールドを輝度重みの小さいサブフィールドにするときと比較して、続くフィールドに漏れ込む残光が増加する。
【０１１９】
右目用フィールドと左目用フィールドとを交互に発生してパネル１０に立体画像を表示するプラズマディスプレイ装置４０においては、１つのフィールドで発生した残光が続くフィールドに漏れ込むと、その残光は、画像信号とは関係のない不要な発光として使用者に観測されることとなる。この現象がクロストークである。
【０１２０】
したがって、１つのフィールドから次のフィールドに漏れ込む残光が増加するほど、クロストークは悪化し、立体画像の立体視は阻害され、プラズマディスプレイ装置４０における画像表示品質は劣化する。なお、この画像表示品質とは、シャッタ眼鏡５０を通して立体画像を観測する使用者にとっての画像表示品質のことである。
【０１２１】
１つのフィールドから次のフィールドに漏れ込む残光を弱め、クロストークを低減するためには、輝度重みの大きいサブフィールドを１フィールドの早い時期に発生して強い残光をできるだけ自フィールド内で収束させることが望ましい。
【０１２２】
したがって、クロストークの抑制のみを考慮するのであれば、フィールドの最初に輝度重みの最も大きいサブフィールドを発生し、以降、サブフィールドの発生順に輝度重みを小さくし、フィールドの最後のサブフィールドを輝度重みの最も小さいサブフィールドにして、次フィールドへの残光の漏れ込みをできるだけ低減することが望ましい。
【０１２３】
次に、書込み放電の安定性について考える。明るい階調を表示する放電セルでは、１フィールドのうちの複数のサブフィールドで維持放電が発生する。したがって、その放電セルでは、それらの維持放電にともない十分な量のプライミング粒子が発生し、安定した書込み放電を発生することができる。しかし、暗い階調を表示する放電セル、特に、輝度重みの最も小さいサブフィールドだけを発光する放電セルでは、プライミング粒子が不足して書込み放電が不安定になりやすい。
【０１２４】
本実施の形態においては、黒輝度を低減するために、サブフィールドＳＦ１で強制初期化動作を行い、他のサブフィールドでは選択初期化動作を行う。したがって、サブフィールドＳＦ１の初期化期間においては、全ての放電セルに初期化放電を発生し、書込み動作のために必要な壁電荷およびプライミング粒子を発生することができる。しかしながら、この壁電荷およびプライミング粒子は時間の経過とともに徐々に失われてしまう。
【０１２５】
例えば、１フィールドの最終サブフィールド（例えば、サブフィールドＳＦ５）における壁電荷およびプライミング粒子を、途中のサブフィールド（例えば、サブフィールドＳＦ１〜サブフィールドＳＦ４のいずれか１つまたは複数のサブフィールド）で書込み動作を行う放電セルと、途中のサブフィールドで書込み動作を行わない放電セルとで比較する。その場合、壁電荷およびプライミング粒子は、途中のサブフィールドで書込み動作を行わない放電セルの方が少なくなる。
【０１２６】
途中のサブフィールドで書込み動作を行う放電セルでは、書込み動作にともなう維持放電が発生して壁電荷およびプライミング粒子が発生する。しかし、途中のサブフィールドで書込み動作を行わない放電セルでは、サブフィールドＳＦ１の初期化動作以降、最終サブフィールドの直前まで維持放電が発生しない。そのため、壁電荷およびプライミング粒子が発生する機会がなく、その結果、放電セル内の壁電荷およびプライミング粒子はより多く減少してしまう。したがって、最終サブフィールドにおける書込み動作が不安定になるおそれがある。
【０１２７】
また、輝度重みの最も大きいサブフィールドは、明るい階調を表示する放電セルでは維持放電が発生するが、暗い階調を表示する放電セルでは維持放電が発生しない。例えば、暗い図柄の画像をパネル１０に表示すると、輝度重みの最も大きいサブフィールドで全く維持放電が発生しないこともある。また、一般的に視聴される動画においては、輝度重みの小さいサブフィールドほど発光する放電セルの数が多くなることが実験的に確認されている。そのため、画像の図柄にもよるが、一般的な動画をパネル１０に表示する場合、輝度重みの最も小さいサブフィールドは、輝度重みの最も大きいサブフィールドよりも維持放電が発生する確率が高いと言える。言い換えると、輝度重みの最も大きいサブフィールドは輝度重みの最も小さいサブフィールドよりも維持放電が発生する確率が低い。
【０１２８】
したがって、サブフィールドＳＦ１の輝度重みを最も大きくし、それ以降、最終サブフィールドに向かって輝度重みを順次小さくする構成では、サブフィールドＳＦ１で維持放電が発生する確率が低くなるため、最終サブフィールドでの書込み動作が不安定になる放電セルが発生するおそれがある。
【０１２９】
そこで、本実施の形態では、サブフィールドＳＦ１を輝度重みの最も小さいサブフィールドとし、サブフィールドＳＦ２を輝度重みの最も大きいサブフィールドとし、サブフィールドＳＦ３以降のサブフィールドは輝度重みを順次小さくする構成とする。
【０１３０】
これにより、サブフィールドＳＦ１から最終サブフィールドに向かって輝度重みを順次小さくする構成と比較して、サブフィールドＳＦ１で維持放電を発生する放電セルの数を増加させることができる。
【０１３１】
サブフィールドＳＦ１で維持放電が発生すれば、その維持放電により放電セル内に壁電荷およびプライミング粒子を補充することができる。したがって、最終サブフィールドにおける書込み動作をより安定に行うことが可能となる。
【０１３２】
また、サブフィールドＳＦ１は強制初期化動作を行うサブフィールドであるので、サブフィールドＳＦ１では、強制初期化動作で生じたプライミング粒子が残存する間に書込み放電を発生させることができ、安定に書込み動作を行うことができる。したがって、最も輝度重みの小さいサブフィールドだけを発光させる放電セルであっても安定した書込み放電を発生させることができる。
【０１３３】
また、輝度重みの大きいサブフィールドを１フィールドの早い時期に発生させることができるので、残光の大きさをサブフィールドＳＦ２以降順次小さくすることができ、次フィールドへの残光の漏れ込み、すなわちクロストークを低減することができる。
【０１３４】
すなわち、本実施の形態に示すプラズマディスプレイ装置４０においては、上述したクロストークの低減と、最終サブフィールドにおける書込み動作の安定化とを両立することができる。
【０１３５】
さらに、本実施の形態においては、第１の勾配Ｇ１を、第２の勾配Ｇ２よりも緩やかな勾配に設定している。すなわち、フィールドの最初に発生するサブフィールドＳＦ１の維持期間の最後において走査電極ＳＣ１〜走査電極ＳＣｎに印加する上り傾斜波形電圧を、サブフィールドＳＦ２〜サブフィールドＳＦ５の維持期間の最後において走査電極ＳＣ１〜走査電極ＳＣｎに印加する上り傾斜波形電圧よりも緩やかな勾配で発生する。これにより、書込み放電をさらに安定に発生することができる。以下にその理由について説明する。
【０１３６】
維持期間の最後に走査電極ＳＣ１〜走査電極ＳＣｎに印加する上り傾斜波形電圧は、維持放電を発生した放電セルに微弱な放電を発生し、放電セル内の壁電圧を精度よく調整することができる。この微弱な放電を、安定に、かつ精度よく発生するためには、プライミング粒子の供給量と傾斜波形電圧の勾配に注意する必要がある。
【０１３７】
例えば、維持期間の最後に、放電セル内に十分なプライミング粒子が供給されていない状態で、勾配の急峻な傾斜波形電圧を走査電極ＳＣ１〜走査電極ＳＣｎに印加すると、微弱放電の強さに周期的な変動が表れ、壁電圧の調整精度が低下する。さらに、プライミング粒子が不足したり、あるいは傾斜波形電圧の勾配が急峻になると、放電セルに強い放電が発生して、続く書込み期間における書込み動作を正常に行うことが難しくなる。
【０１３８】
本実施の形態においては、上述したように、フィールドの最初に輝度重みの最も小さいサブフィールドを発生し、２番目に輝度重みの最も大きいサブフィールドを発生し、それ以降は順に輝度重みが小さくなるようにサブフィールドを発生している。
【０１３９】
サブフィールドＳＦ２は最も輝度重みの大きいサブフィールドであるので、表示画像に与える影響は最も大きい。したがって、このサブフィールドＳＦ２で正常な書込み動作ができないと、プラズマディスプレイ装置４０における画像表示品質は著しく低下することになる。
【０１４０】
サブフィールドＳＦ２で書込み放電を安定に発生し、パネル１０に品質の高い画像を表示するためには、サブフィールドＳＦ２の直前のサブフィールドＳＦ１で安定した放電を発生することが非常に重要となる。
【０１４１】
サブフィールドＳＦ１は輝度重みの最も小さいサブフィールドであるため、維持放電にともない発生するプライミング粒子の量も他のサブフィールドと比較して少ない。したがって、維持期間の最後に、安定に、かつ精度よく微弱な放電を発生するためには、維持期間の最後に走査電極ＳＣ１〜走査電極ＳＣｎに印加する上り傾斜波形電圧を、緩やかな勾配に設定することが望ましい。
【０１４２】
一方、サブフィールドＳＦ２〜サブフィールドＳＦ４は相対的に輝度重みの大きいサブフィールドであるため、維持放電にともない発生するプライミング粒子の量も多い。したがって、維持期間の最後に走査電極ＳＣ１〜走査電極ＳＣｎに印加する傾斜波形電圧の勾配を急峻に設定することが可能であり、これにより、駆動に要する時間を短縮することができる。
【０１４３】
なおサブフィールドＳＦ５は輝度重みが２番目に小さいサブフィールドであり、維持放電にともない発生するプライミング粒子の量も比較的少ない。そのため、維持期間の最後の微弱放電が不安定となる可能性がある。しかし、続くフィールドの先頭サブフィールドであるサブフィールドＳＦ１の初期化期間では強制初期化動作を行う。したがって、フィールドの最終サブフィールドであるサブフィールドＳＦ５において維持期間の最後の微弱放電が不安定になったとしても、続くフィールドにおける書込み動作や維持動作には実質的な影響を及ぼすことはない。
【０１４４】
このように、本実施の形態において、右目用フィールドおよび左目用フィールドのそれぞれは、走査電極ＳＣ１〜走査電極ＳＣｎに下り傾斜波形電圧を印加する初期化期間と、走査電極ＳＣ１〜走査電極ＳＣｎに走査パルスを印加するとともにデータ電極Ｄ１〜データ電極Ｄｍに選択的に書込みパルスを印加する書込み期間と、走査電極ＳＣ１〜走査電極ＳＣｎおよび維持電極ＳＵ１〜維持電極ＳＵｎに輝度重みに応じた数の維持パルスを印加し、その後、走査電極ＳＣ１〜走査電極ＳＣｎに上り傾斜波形電圧を印加する維持期間とを有するサブフィールドを複数備えている。
【０１４５】
そして、フィールドの最初に発生するサブフィールドＳＦ１を輝度重みの最も小さいサブフィールドとし、次のサブフィールドＳＦ２を輝度重みの最も大きいサブフィールドとし、それ以降のサブフィールドは輝度重みが順次小さくなるように各サブフィールドに輝度重みを設定する。
【０１４６】
さらに、各サブフィールドの維持期間において、全ての維持パルスを発生した後に走査電極ＳＣ１〜走査電極ＳＣｎに上り傾斜波形電圧を印加するとともに、サブフィールドＳＦ１の維持期間において走査電極ＳＣ１〜走査電極ＳＣｎに印加する上り傾斜波形電圧の勾配である第１の勾配Ｇ１を、サブフィールドＳＦ２〜サブフィールドＳＦ５の維持期間において走査電極ＳＣ１〜走査電極ＳＣｎに印加する上り傾斜波形電圧の勾配である第２の勾配Ｇ２よりも緩やかな勾配に設定する。
【０１４７】
これにより、本実施の形態におけるプラズマディスプレイ装置４０およびプラズマディスプレイシステムでは、パネル１０に立体画像を表示する際に、右目用画像と左目用画像とのクロストークを抑制するとともに、書込み放電を安定に発生することができる。したがって、使用者は、シャッタ眼鏡５０を用いてパネル１０に表示される立体画像を観賞する際に、品質の高い立体画像を観賞することが可能となる。
【０１４８】
なお、図５には、サブフィールドＳＦ５の終了後からサブフィールドＳＦ１の開始前までの間に、下り傾斜波形電圧を発生して走査電極ＳＣ１〜走査電極ＳＣｎに印加するとともに、電圧Ｖｅを維持電極ＳＵ１〜維持電極ＳＵｎに印加する例を示したが、これらの電圧は発生せずともよい。例えば、サブフィールドＳＦ５の終了後からサブフィールドＳＦ１の開始前までの間は、走査電極ＳＣ１〜走査電極ＳＣｎ、維持電極ＳＵ１〜維持電極ＳＵｎ、データ電極Ｄ１〜データ電極Ｄｍをともに０（Ｖ）に保持する構成であってもよい。
【０１４９】
次に、本実施の形態における走査電極駆動回路の一例について説明する。
【０１５０】
図６は、本発明の実施の形態１におけるプラズマディスプレイ装置４０の走査電極駆動回路４３の一構成例を示す回路図である。走査電極駆動回路４３は、維持パルス発生回路６０と、傾斜波形発生回路７０と、走査パルス発生回路８０とを備えている。走査パルス発生回路８０の出力端子のそれぞれは、パネル１０の走査電極ＳＣ１〜走査電極ＳＣｎのそれぞれに接続されている。これは、書込み期間において各走査電極２２のそれぞれに個別に走査パルスを印加できるようにするためである。
【０１５１】
なお、本実施の形態では、走査パルス発生回路８０に入力される電圧を「基準電位Ａ」と記す。また、以下の説明においては、スイッチング素子を導通する動作を「オン」、遮断する動作を「オフ」と表記する。また、走査電極駆動回路４３の各回路ブロックはタイミング発生回路４５から供給されるタイミング信号によって制御されるが、図６では、タイミング信号の信号経路の詳細は省略する。
【０１５２】
また、図６には、負の電圧を用いた回路（例えば、ミラー積分回路７６）が動作しているときに、その回路と、維持パルス発生回路６０および電圧Ｖｒを用いた回路（例えば、ミラー積分回路７２、ミラー積分回路７４）とを電気的に分離するためのスイッチング素子Ｑ４を用いた分離回路を示している。また、電圧Ｖｒを用いた回路（例えば、ミラー積分回路７２、ミラー積分回路７４）が動作しているときに、その回路と、電圧Ｖｓを用いた維持パルス発生回路６０とを電気的に分離するためのスイッチング素子Ｑ６を用いた分離回路を示している。
【０１５３】
維持パルス発生回路６０は、走査電極ＳＣ１〜走査電極ＳＣｎを駆動するときの電力をパネル１０から回収して再利用する電力回収回路６１と、走査電極ＳＣ１〜走査電極ＳＣｎを電圧Ｖｓまたは電圧０（Ｖ）にクランプするクランプ回路６２とを備えている。
【０１５４】
電力回収回路６１は、電力回収用のコンデンサＣ１０、スイッチング素子Ｑ１１、スイッチング素子Ｑ１２、逆流防止用のダイオードＤｉ１１、逆流防止用のダイオードＤｉ１２、共振用のインダクタＬ１０を有する。そして、電極間容量ＣｐとインダクタＬ１０とをＬＣ共振させて維持パルスの立ち上がりおよび立ち下がりを行う。
【０１５５】
クランプ回路６２は、走査電極ＳＣ１〜走査電極ＳＣｎを電圧Ｖｓにクランプするスイッチング素子Ｑ１３、走査電極ＳＣ１〜走査電極ＳＣｎをベース電位である電圧０（Ｖ）にクランプするスイッチング素子Ｑ１４を有する。そして、基準電位Ａをスイッチング素子Ｑ１３を介して電源ＶＳに接続して走査電極ＳＣ１〜走査電極ＳＣｎを電圧Ｖｓにクランプし、基準電位Ａをスイッチング素子Ｑ１４を介して接地して走査電極ＳＣ１〜走査電極ＳＣｎを電圧０（Ｖ）にクランプする。
【０１５６】
そして、維持パルス発生回路６０は、タイミング発生回路４５から供給されるタイミング信号にもとづき、スイッチング素子Ｑ１１、スイッチング素子Ｑ１２、スイッチング素子Ｑ１３、スイッチング素子Ｑ１４の導通（オン）と遮断（オフ）とを切り換えることによって電力回収回路６１とクランプ回路６２とを動作させ、維持パルスを発生する。
【０１５７】
傾斜波形発生回路７０は、ミラー積分回路７２と、ミラー積分回路７４と、ミラー積分回路７６とを備え、図４に示した傾斜波形電圧を発生する。
【０１５８】
ミラー積分回路７２は、トランジスタＱ７２とコンデンサＣ７２と抵抗Ｒ７２とを有する。そして、入力端子ＩＮ７２に一定の電圧を印加する（入力端子ＩＮ７２として図示される２つの丸の間に一定の電圧差を与える）ことにより、電圧Ｖｒに向かって第１の勾配Ｇ１の勾配で上昇する上り傾斜波形電圧を発生する。この上り傾斜波形電圧が、サブフィールドＳＦ１の維持期間の最後に走査電極ＳＣ１〜走査電極ＳＣｎに印加する上り傾斜波形電圧である。
【０１５９】
ミラー積分回路７４は、トランジスタＱ７４とコンデンサＣ７４と抵抗Ｒ７４とを有する。そして、入力端子ＩＮ７４に一定の電圧を印加する（入力端子ＩＮ７４として図示される２つの丸の間に一定の電圧差を与える）ことにより、電圧Ｖｒに向かって第２の勾配Ｇ２の勾配で上昇する上り傾斜波形電圧を発生する。この上り傾斜波形電圧が、サブフィールドＳＦ２〜サブフィールドＳＦ５の維持期間の最後に走査電極ＳＣ１〜走査電極ＳＣｎに印加する上り傾斜波形電圧である。
【０１６０】
ミラー積分回路７６は、トランジスタＱ７６とコンデンサＣ７６と抵抗Ｒ７６とを有する。そして、入力端子ＩＮ７６に一定の電圧を印加する（入力端子ＩＮ７４として図示される２つの丸の間に一定の電圧差を与える）ことにより、電圧Ｖｉ４に向かって緩やかに下降する下り傾斜波形電圧を発生する。この下り傾斜波形電圧が、サブフィールドＳＦ１〜サブフィールドＳＦ５の初期化期間に走査電極ＳＣ１〜走査電極ＳＣｎに印加する下り傾斜波形電圧である。
【０１６１】
なお、本実施の形態においては、サブフィールドＳＦ１の初期化期間に走査電極ＳＣ１〜走査電極ＳＣｎに印加する上り傾斜波形電圧を、ミラー積分回路７２で発生している。しかし、サブフィールドＳＦ１の初期化期間に走査電極ＳＣ１〜走査電極ＳＣｎに印加する上り傾斜波形電圧を発生するための専用のミラー積分回路を設けてもよい。
【０１６２】
走査パルス発生回路８０は、スイッチング素子Ｑ８１Ｈ１〜スイッチング素子Ｑ８１Ｈｎ、スイッチング素子Ｑ８１Ｌ１〜スイッチング素子Ｑ８１Ｌｎ、スイッチング素子Ｑ８２、負の電圧Ｖａの電源、電圧ＶＣを発生する電源Ｅ８０を有する。
【０１６３】
電源Ｅ８０は、電圧ＶＣを発生することで、走査パルス発生回路８０の基準電位Ａに電圧ＶＣを重畳して電圧Ｖｃ（Ｖｃ＝ＶＣ＋Ｖａ）を発生する。スイッチング素子Ｑ８１Ｈ１〜スイッチング素子Ｑ８１Ｈｎは、電源Ｅ８０の高圧側の電圧を出力するスイッチング素子であり、スイッチング素子Ｑ８１Ｌ１〜スイッチング素子Ｑ８１Ｌｎは、電源Ｅ８０の低圧側の電圧、すなわち基準電位Ａを出力するスイッチング素子である。
【０１６４】
そして、電圧Ｖａと電圧Ｖｃとを切り換えながら走査電極ＳＣ１〜走査電極ＳＣｎに印加することで、図４に示したタイミングで走査電極ＳＣ１〜走査電極ＳＣｎのそれぞれに走査パルスを印加する。
【０１６５】
また、走査パルス発生回路８０は、初期化期間および維持期間では、維持パルス発生回路６０の出力または傾斜波形発生回路７０の出力を走査電極ＳＣ１〜走査電極ＳＣｎのそれぞれに印加する。
【０１６６】
このように、本実施の形態では、勾配が互いに異なる上り傾斜波形電圧を発生するミラー積分回路７２、ミラー積分回路７４を走査電極駆動回路４３に設けることで、サブフィールドＳＦ１とサブフィールドＳＦ２〜サブフィールドＳＦ５とで、維持期間の最後に勾配が互いに異なる上り傾斜波形電圧を走査電極ＳＣ１〜走査電極ＳＣｎに印加することができる。
【０１６７】
なお、図６に示した維持パルス発生回路６０、および傾斜波形発生回路７０、および走査パルス発生回路８０は単なる一例に過ぎず、本発明は、走査電極駆動回路を構成する各回路が何ら図６に示した回路に限定されるものではない。例えば、上り傾斜波形電圧を発生するミラー積分回路を走査電極駆動回路に１つ設け、ミラー積分回路の入力電圧、ミラー積分回路を構成する抵抗の抵抗値、ミラー積分回路を構成するコンデンサの容量値のいずれかを切り替えることで勾配の異なる上り傾斜波形電圧を発生する構成であってもよい。
【０１６８】
（実施の形態２）
図７は、本発明の実施の形態２におけるプラズマディスプレイ装置に用いるパネル１０の各電極に印加する駆動電圧波形を概略的に示す図である。図７には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。
【０１６９】
また、図７には、サブフィールドＳＦ１からサブフィールドＳＦ３までの駆動電圧波形を示している。実施の形態２においては、実施の形態１と同様に、サブフィールドＳＦ１は強制初期化動作を行うサブフィールドであり、サブフィールドＳＦ２およびサブフィールドＳＦ３は選択初期化動作を行うサブフィールドである。したがって、サブフィールドＳＦ１と、サブフィールドＳＦ２およびサブフィールドＳＦ３では、初期化期間に走査電極２２に印加する駆動電圧の波形形状が異なる。
【０１７０】
また、実施の形態２においては、実施の形態１と同様に、サブフィールドＳＦ１の維持期間の最後には電圧０（Ｖ）から電圧Ｖｒに第１の勾配Ｇ１で上昇する上り傾斜波形電圧を走査電極ＳＣ１〜走査電極ＳＣｎに印加し、サブフィールドＳＦ２〜サブフィールドＳＦ５の維持期間の最後には第１の勾配Ｇ１よりも急峻な第２の勾配Ｇ２で電圧０（Ｖ）から電圧Ｖｒに上昇する上り傾斜波形電圧を走査電極ＳＣ１〜走査電極ＳＣｎに印加する。
【０１７１】
ただし、実施の形態２において、サブフィールドＳＦ２〜サブフィールドＳＦ５の初期化期間に走査電極ＳＣ１〜走査電極ＳＣｎに印加する下り傾斜波形電圧は、実施の形態１に示したように一定の勾配で下降するのではなく、最初は比較的急峻に下降し、次に比較的緩やかに下降するように、勾配を途中で変えて発生する。
【０１７２】
具体的には、サブフィールドＳＦ２の初期化期間では、比較的急峻な勾配Ｇ３で下降し始め、その後、比較的緩やかな勾配Ｇ４で下降する傾斜波形電圧を発生して走査電極ＳＣ１〜走査電極ＳＣｎに印加する。
【０１７３】
また、サブフィールドＳＦ３〜サブフィールドＳＦ５の初期化期間では、比較的急峻な勾配Ｇ５で下降し始め、その後、比較的緩やかな勾配Ｇ６で下降する傾斜波形電圧を発生して走査電極ＳＣ１〜走査電極ＳＣｎに印加する。
【０１７４】
初期化期間においては、初期化放電の発生以降に走査電極ＳＣ１〜走査電極ＳＣｎに印加する電圧が緩やかに下降すれば、微弱な初期化放電を放電セルに発生することができる。したがって、初期化放電が発生する直前までは、走査電極ＳＣ１〜走査電極ＳＣｎに印加する電圧を急峻に下降してもよい。これにより、初期化期間に要する時間を実施の形態１に示した構成と比較して短縮することができ、パネル１０の駆動に要する時間を短縮することができる。
【０１７５】
なお、本実施の形態においては、勾配Ｇ３および勾配Ｇ５は−８．０（Ｖ／μｓｅｃ）であり、勾配Ｇ４および勾配Ｇ６は−２．５（Ｖ／μｓｅｃ）である。
【０１７６】
しかしながら、本発明においては、初期化期間に発生する下り傾斜波形電圧の勾配が上述した数値に限定されるものではない。例えば、サブフィールドＳＦ２〜サブフィールドＳＦ４の輝度重みは比較的大きく、維持放電にともない発生するプライミング粒子の量も比較的多いので、それらのサブフィールドに続くサブフィールド、すなわち、サブフィールドＳＦ３〜サブフィールドＳＦ５の初期化期間に発生する下り傾斜波形電圧の勾配をある程度急峻に設定することができる。したがって、勾配Ｇ５を−８．０（Ｖ／μｓｅｃ）よりも急峻に設定してもよく、勾配Ｇ６を−２．５（Ｖ／μｓｅｃ）よりも急峻に設定してもよい。またパネル１０の放電特性に応じて、勾配Ｇ３を勾配Ｇ５よりも緩やかに設定し、勾配Ｇ４を勾配Ｇ６よりも緩やかに設定してもよい。
【０１７７】
なお、実施の形態１、実施の形態２においては、１つのフィールドを５つのサブフィールドで構成する例を説明した。しかし、本発明は１フィールドを構成するサブフィールドの数が何ら上記の数に限定されるものではない。例えば、サブフィールドの数を５よりも多くすることで、パネル１０に表示できる階調の数をさらに増加することができる。
【０１７８】
また、実施の形態１、実施の形態２においては、サブフィールドの輝度重みを「２」のべき乗とし、サブフィールドＳＦ１〜サブフィールドＳＦ５の各サブフィールドの輝度重みを（１、１６、８、４、２）に設定する例を説明した。しかし、各サブフィールドに設定する輝度重みは、何ら上記の数値に限定されるものではない。例えば、（１、１２、７、３、２）等として階調を決めるサブフィールドの組合せに冗長性を持たせることにより、動画擬似輪郭の発生を抑制したコーディングが可能となる。１フィールドを構成するサブフィールドの数や、各サブフィールドの輝度重み等は、パネル１０の特性やプラズマディスプレイ装置４０の仕様等に応じて適宜設定すればよい。
【０１７９】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０１８０】
なお、本実施の形態では、１画素をＲ、Ｇ、Ｂの３色の放電セルで構成する例を説明したが、１画素を４色あるいはそれ以上の色の放電セルで構成するパネルにおいても、本実施の形態に示した構成を適用することは可能であり、同様の効果を得ることができる。
【０１８１】
なお、上述した駆動回路は一例を示したものであり、駆動回路の構成は上述した構成に限定されるものではない。
【０１８２】
なお、本発明の実施の形態において示した具体的な数値は、画面サイズが５０インチ、表示電極対２４の数が１０２４のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、これらの各数値は、上述した効果を得られる範囲でのばらつきを許容するものとする。また、サブフィールド数や各サブフィールドの輝度重み等も本発明における実施の形態に示した値に限定されるものではなく、また、画像信号等にもとづいてサブフィールド構成を切り換える構成であってもよい。
【産業上の利用可能性】
【０１８３】
本発明は、立体画像表示装置として使用可能なプラズマディスプレイ装置において、パネルに表示される立体画像をシャッタ眼鏡を通して観賞する使用者に対してクロストークを低減しつつ、書込み放電を安定に発生して、画像表示品質を高めることができるので、プラズマディスプレイ装置の駆動方法、プラズマディスプレイ装置、およびプラズマディスプレイシステムとして有用である。
【符号の説明】
【０１８４】
１０    パネル
２１    前面基板
２２    走査電極
２３    維持電極
２４    表示電極対
２５，３３    誘電体層
２６    保護層
３１    背面基板
３２    データ電極
３４    隔壁
３５    蛍光体層
４０    プラズマディスプレイ装置
４１    画像信号処理回路
４２    データ電極駆動回路
４３    走査電極駆動回路
４４    維持電極駆動回路
４５    タイミング発生回路
４６    制御信号出力部
５０    シャッタ眼鏡
５１    制御信号受信部
５２Ｒ    右目用液晶シャッタ
５２Ｌ    左目用液晶シャッタ
６０    維持パルス発生回路
６１    電力回収回路
６２    クランプ回路
７０    傾斜波形発生回路
７２，７４，７６    ミラー積分回路
８０    走査パルス発生回路
Ｑ４，Ｑ６，Ｑ１１，Ｑ１２，Ｑ１３，Ｑ１４，Ｑ７２，Ｑ７４，Ｑ７６，Ｑ８１Ｈ１〜Ｑ８１Ｈｎ，Ｑ８１Ｌ１〜Ｑ８１Ｌｎ，Ｑ８２    スイッチング素子
Ｄｉ１１，Ｄｉ１２，    ダイオード
Ｌ１０    インダクタ
Ｃ１０，Ｃ７２，Ｃ７４，Ｃ７６    コンデンサ
Ｒ７２，Ｒ７４，Ｒ７６    抵抗
Ｅ８０    電源
【図１】
2011111323.tif 000003
【図２】
2011111323.tif 000004
【図３】
2011111323.tif 000005
【図４】
2011111323.tif 000006
【図５】
2011111323.tif 000007
【図６】
2011111323.tif 000008
【図７】
2011111323.tif 000009
【手続補正書】
【提出日】平成24年3月12日(2012.3.12)
【手続補正１】
【補正対象書類名】明細書
【補正対象項目名】０１６０
【補正方法】変更
【補正の内容】
【０１６０】
ミラー積分回路７６は、トランジスタＱ７６とコンデンサＣ７６と抵抗Ｒ７６とを有する。そして、入力端子ＩＮ７６に一定の電圧を印加する（入力端子ＩＮ７６として図示される２つの丸の間に一定の電圧差を与える）ことにより、電圧Ｖｉ４に向かって緩やかに下降する下り傾斜波形電圧を発生する。この下り傾斜波形電圧が、サブフィールドＳＦ１〜サブフィールドＳＦ５の初期化期間に走査電極ＳＣ１〜走査電極ＳＣｎに印加する下り傾斜波形電圧である。
【手続補正２】
【補正対象書類名】明細書
【補正対象項目名】０１６４
【補正方法】変更
【補正の内容】
【０１６４】
そして、走査パルス発生回路８０は、電圧Ｖａと電圧Ｖｃとを切り換えながら走査電極ＳＣ１〜走査電極ＳＣｎに印加することで、図４に示したタイミングで走査電極ＳＣ１〜走査電極ＳＣｎのそれぞれに走査パルスを印加する。
【手続補正書】
【提出日】平成24年12月19日(2012.12.19)
【手続補正１】
【補正対象書類名】特許請求の範囲
【補正対象項目名】全文
【補正方法】変更
【補正の内容】
【特許請求の範囲】
【請求項１】
走査電極と維持電極とデータ電極とを有する放電セルを複数配列したプラズマディスプレイパネルを用いて、右目用画像信号を表示する右目用フィールドと左目用画像信号を表示する左目用フィールドとを交互に繰り返して画像を表示するプラズマディスプレイ装置の駆動方法であって、
前記右目用フィールドおよび前記左目用フィールドのそれぞれは、初期化期間と、書込み期間と、輝度重みに応じた数の維持パルスを発生した後に前記走査電極に上り傾斜波形電圧を印加する維持期間とを有するサブフィールドを複数備え、
前記右目用フィールドおよび前記左目用フィールドのそれぞれにおいて、最初に発生するサブフィールドを輝度重みの最も小さいサブフィールドとし、２番目に発生するサブフィールドを輝度重みの最も大きいサブフィールドとし、３番目以降に発生するサブフィールドは前記輝度重みが順次小さくなるように各サブフィールドに前記輝度重みを設定し、
前記右目用フィールドおよび前記左目用フィールドの最初に発生するサブフィールドの初期化期間には上り傾斜波形電圧と下り傾斜波形電圧を印加し、前記最初に発生するサブフィールドの維持期間において前記走査電極に印加する上り傾斜波形電圧を、２番目以降に発生するサブフィールドの維持期間において前記走査電極に印加する上り傾斜波形電圧よりも緩やかな勾配で発生することを特徴とするプラズマディスプレイ装置の駆動方法。
【請求項２】
前記右目用フィールドおよび前記左目用フィールドの最初に発生するサブフィールドの初期化期間および維持期間における上り傾斜波形電圧は同じ勾配であることを特徴とする請求項１に記載のプラズマディスプレイ装置の駆動方法。
【請求項３】
走査電極と維持電極とデータ電極とを有する放電セルを複数配列したプラズマディスプレイパネルと、前記プラズマディスプレイパネルを駆動する駆動回路とを備え、右目用画像信号を表示する右目用フィールドと左目用画像信号を表示する左目用フィールドとを交互に繰り返して前記プラズマディスプレイパネルに画像を表示するプラズマディスプレイ装置であって、
前記駆動回路は、前記右目用フィールドおよび前記左目用フィールドのそれぞれに、初期化期間と、書込み期間と、輝度重みに応じた数の維持パルスを発生した後に前記走査電極に上り傾斜波形電圧を印加する維持期間とを有するサブフィールドを複数備え、
前記右目用フィールドおよび前記左目用フィールドのそれぞれにおいて、最初に発生するサブフィールドを輝度重みの最も小さいサブフィールドとし、２番目に発生するサブフィールドを輝度重みの最も大きいサブフィールドとし、３番目以降に発生するサブフィールドは前記輝度重みが順次小さくなるように各サブフィールドに前記輝度重みを設定し、
前記右目用フィールドおよび前記左目用フィールドの最初に発生するサブフィールドの初期化期間には上り傾斜波形電圧と下り傾斜波形電圧を印加し、前記最初に発生するサブフィールドの維持期間において前記走査電極に印加する上り傾斜波形電圧を、２番目以降に発生するサブフィールドの維持期間において前記走査電極に印加する上り傾斜波形電圧よりも緩やかな勾配で発生して、前記プラズマディスプレイパネルを駆動することを特徴とするプラズマディスプレイ装置。
【請求項４】
前記駆動回路は、前記右目用フィールドおよび前記左目用フィールドに同期したシャッタ制御信号を出力する制御信号出力部を有することを特徴とする請求項３に記載のプラズマディスプレイ装置。
【請求項５】
走査電極と維持電極とデータ電極とを有する放電セルを複数配列したプラズマディスプレイパネルと、右目用フィールドおよび左目用フィールドに同期したシャッタ制御信号を出力する制御信号出力部を有して前記プラズマディスプレイパネルを駆動する駆動回路とを備え、右目用画像信号を表示する右目用フィールドと左目用画像信号を表示する左目用フィールドとを交互に繰り返して前記プラズマディスプレイパネルに画像を表示するプラズマディスプレイ装置と、前記シャッタ制御信号を受信する制御信号受信部と右目用シャッタおよび左目用シャッタとを有し、前記シャッタ制御信号にもとづき前記右目用シャッタおよび前記左目用シャッタを開閉するシャッタ眼鏡とを備えたプラズマディスプレイシステムであって、
前記駆動回路は、前記右目用フィールドおよび前記左目用フィールドのそれぞれに、初期化期間と、書込み期間と、輝度重みに応じた数の維持パルスを発生した後に前記走査電極に上り傾斜波形電圧を印加する維持期間とを有するサブフィールドを複数備え、
前記右目用フィールドおよび前記左目用フィールドのそれぞれにおいて、最初に発生するサブフィールドを輝度重みの最も小さいサブフィールドとし、２番目に発生するサブフィールドを輝度重みの最も大きいサブフィールドとし、３番目以降に発生するサブフィールドは前記輝度重みが順次小さくなるように各サブフィールドに前記輝度重みを設定し、
前記右目用フィールドおよび前記左目用フィールドの最初に発生するサブフィールドの初期化期間には上り傾斜波形電圧と下り傾斜波形電圧を印加し、前記最初に発生するサブフィールドの維持期間において前記走査電極に印加する上り傾斜波形電圧を、２番目以降に発生するサブフィールドの維持期間において前記走査電極に印加する上り傾斜波形電圧よりも緩やかな勾配で発生して、前記プラズマディスプレイパネルを駆動することを特徴とするプラズマディスプレイシステム。
【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
走査電極と維持電極とデータ電極とを有する放電セルを複数配列したプラズマディスプレイパネルを用いて、右目用画像信号を表示する右目用フィールドと左目用画像信号を表示する左目用フィールドとを交互に繰り返して画像を表示するプラズマディスプレイ装置の駆動方法であって、
前記右目用フィールドおよび前記左目用フィールドのそれぞれは、初期化期間と、書込み期間と、輝度重みに応じた数の維持パルスを発生した後に前記走査電極に上り傾斜波形電圧を印加する維持期間とを有するサブフィールドを複数備え、
前記右目用フィールドおよび前記左目用フィールドのそれぞれにおいて、最初に発生するサブフィールドを輝度重みの最も小さいサブフィールドとし、２番目に発生するサブフィールドを輝度重みの最も大きいサブフィールドとし、３番目以降に発生するサブフィールドは前記輝度重みが順次小さくなるように各サブフィールドに前記輝度重みを設定し、
前記右目用フィールドおよび前記左目用フィールドの最初に発生するサブフィールドの初期化期間には上り傾斜波形電圧と下り傾斜波形電圧を印加して全ての前記放電セルで強制的に初期化放電を発生させ、前記最初に発生するサブフィールドの維持期間において前記走査電極に印加する上り傾斜波形電圧を、２番目以降に発生するサブフィールドの維持期間において前記走査電極に印加する上り傾斜波形電圧よりも緩やかな勾配で発生することを特徴とするプラズマディスプレイ装置の駆動方法。
【請求項２】
前記右目用フィールドおよび前記左目用フィールドの最初に発生するサブフィールドの初期化期間および維持期間における上り傾斜波形電圧は同じ勾配であることを特徴とする請求項１に記載のプラズマディスプレイ装置の駆動方法。
【請求項３】
走査電極と維持電極とデータ電極とを有する放電セルを複数配列したプラズマディスプレイパネルと、前記プラズマディスプレイパネルを駆動する駆動回路とを備え、右目用画像信号を表示する右目用フィールドと左目用画像信号を表示する左目用フィールドとを交互に繰り返して前記プラズマディスプレイパネルに画像を表示するプラズマディスプレイ装置であって、
前記駆動回路は、前記右目用フィールドおよび前記左目用フィールドのそれぞれに、初期化期間と、書込み期間と、輝度重みに応じた数の維持パルスを発生した後に前記走査電極に上り傾斜波形電圧を印加する維持期間とを有するサブフィールドを複数備え、
前記右目用フィールドおよび前記左目用フィールドのそれぞれにおいて、最初に発生するサブフィールドを輝度重みの最も小さいサブフィールドとし、２番目に発生するサブフィールドを輝度重みの最も大きいサブフィールドとし、３番目以降に発生するサブフィールドは前記輝度重みが順次小さくなるように各サブフィールドに前記輝度重みを設定し、
前記右目用フィールドおよび前記左目用フィールドの最初に発生するサブフィールドの初期化期間には上り傾斜波形電圧と下り傾斜波形電圧を印加して全ての前記放電セルで強制的に初期化放電を発生させ、前記最初に発生するサブフィールドの維持期間において前記走査電極に印加する上り傾斜波形電圧を、２番目以降に発生するサブフィールドの維持期間において前記走査電極に印加する上り傾斜波形電圧よりも緩やかな勾配で発生して、前記プラズマディスプレイパネルを駆動することを特徴とするプラズマディスプレイ装置。
【請求項４】
前記駆動回路は、前記右目用フィールドおよび前記左目用フィールドに同期したシャッタ制御信号を出力する制御信号出力部を有することを特徴とする請求項３に記載のプラズマディスプレイ装置。
【請求項５】
走査電極と維持電極とデータ電極とを有する放電セルを複数配列したプラズマディスプレイパネルと、右目用フィールドおよび左目用フィールドに同期したシャッタ制御信号を出力する制御信号出力部を有して前記プラズマディスプレイパネルを駆動する駆動回路とを備え、右目用画像信号を表示する右目用フィールドと左目用画像信号を表示する左目用フィールドとを交互に繰り返して前記プラズマディスプレイパネルに画像を表示するプラズマディスプレイ装置と、前記シャッタ制御信号を受信する制御信号受信部と右目用シャッタおよび左目用シャッタとを有し、前記シャッタ制御信号にもとづき前記右目用シャッタおよび前記左目用シャッタを開閉するシャッタ眼鏡とを備えたプラズマディスプレイシステムであって、
前記駆動回路は、前記右目用フィールドおよび前記左目用フィールドのそれぞれに、初期化期間と、書込み期間と、輝度重みに応じた数の維持パルスを発生した後に前記走査電極に上り傾斜波形電圧を印加する維持期間とを有するサブフィールドを複数備え、
前記右目用フィールドおよび前記左目用フィールドのそれぞれにおいて、最初に発生するサブフィールドを輝度重みの最も小さいサブフィールドとし、２番目に発生するサブフィールドを輝度重みの最も大きいサブフィールドとし、３番目以降に発生するサブフィールドは前記輝度重みが順次小さくなるように各サブフィールドに前記輝度重みを設定し、
前記右目用フィールドおよび前記左目用フィールドの最初に発生するサブフィールドの初期化期間には上り傾斜波形電圧と下り傾斜波形電圧を印加して全ての前記放電セルで強制的に初期化放電を発生させ、前記最初に発生するサブフィールドの維持期間において前記走査電極に印加する上り傾斜波形電圧を、２番目以降に発生するサブフィールドの維持期間において前記走査電極に印加する上り傾斜波形電圧よりも緩やかな勾配で発生して、前記プラズマディスプレイパネルを駆動することを特徴とするプラズマディスプレイシステム。
【国際調査報告】
2011111323.tif 000010
2011111323.tif 000011
2011111323.tif 000012
2011111323.tif 000013